(57)【要約】      （修正有）【課題】装置が簡単で、除草作業時に、作物のひっかかりがなく、且つ、重量が軽くて駆動伝達効率が高く、エネルギーが節約できるシャベルマウントロータリー式除草機を提供する。【解決手段】本体内部の両端に支持され水平方向に設置されるローター４０に、水平方向に設置された油圧駆動モーター６０のモーター軸６２がローター軸４２に直接挿入接続され、油圧駆動モーターの駆動力を直接伝達する。また除草作業時に破砕された作物や小さい石、小枝などが安全カバー部材のブロックカバーによって衝撃が吸収され、外部にはじけ出ることをブロックする。また油圧駆動モーターを停止するために油圧作動油供給をブロックした時に、ローターの回転慣性によってローターが続けて回転したとしても、駆動モーター内部のオイルがモーター保護用バルブを通じてスムーズに流れることができるように構成し、騒音と振動がなくなり、装置を安全に使用することができる。【選択図】図４
2020078249.tif 000002
【特許請求の範囲】
【請求項１】
上部にショベルアーム（１）と接続されるリンク連結部（１２）が装着された本体（１０）と、
前記本体（１０）の左右両側に油圧駆動モーター（６０）で回転できるように設置され、外周面に多数の刃（４３）が装着されたローター（４０）で構成されたショベルマウントロータリー式除草機において、
前記ローター（４０）は、本体（１０）の両側に装着され、内部に回転部材（５２）が設置されたハウジング（５０）にローター軸（４２）で回転できるように設置され、
前記ローター軸（４２）の他の端に形成された軸の直径に段差がある孔（４２ａ）にモーター軸（６２）が設置され、前記ハウジング（５０）内部に装着フランジ（６４）で装着され、本体（１０）の他の側面に装着されたモーター保護ケース（７０）で油圧駆動モーター（６０）が保護され、
前記ローター（４０）に装着された多数の刃（４３）の形は、３つの刃で構成されるものか、またはハンマー形で構成するものの中のいずれか一つで構成し、
前記ローター（４０）の外面にローター（４０）を保護するローターカバー（４８）をさらに構成することを特徴とするショベルマウントロータリー式除草機。
【請求項２】
前記本体（１０）とショベルアーム（１）と接続されるリンク連結部（１２）との間に本体（１０）を回転させるためのバンプリンク装置（２０）を備えるが、
前記バンプリンク装置（２０）は、前記本体（１０）の上部とリンク連結部（１２）の下部に締結固定された下部板（２１）及び上部板（２２）と、
前記下部板（２１）と上部板（２２）の上部及び下部に間隔を維持して垂直に固定され、対応するように貫通孔（２３ａ）が形成された下部垂直片（２３）及び上部垂直片（２４）と、
前記下部垂直片（２３）及び上部垂直片（２４）の貫通孔（２３ａ）と対応するようにピン挿入孔（２５ａ）が形成された下部回転ホルダー（２５）及び上部回転ホルダー（２６）と、下部回転ホルダー（２５）と上部回転ホルダー（２６）との間に間隔が維持されるように固定されたスペースバー（２７）でできた回転部材（２８）と、
前記下部回転ホルダー（２５）と上部回転ホルダー（２６）のピン挿入孔（２５ａ）に両端が突出するように結合し、下部板（２１）と上部板（２２）の貫通孔（２３ａ）に結合して、止め輪（２９ａ）で回転が防止される多数の固定ピン（２９）で構成されたものを特徴とする請求項１に記載のショベルマウントロータリー式除草機。
【請求項３】
前記本体（１０）の前後面に作業時に発生する破砕物が外部にはじけ出ることをブロックするための安全カバー部材（３０）を利用するが、
前記本体（１０）の前後面の傾斜面に締結固定される傾斜部（３２）と、傾斜部（３２）の下部に水平方向に形成され、多数のカバー挿入孔（３３ａ）が形成された水平部（３３）と、水平部（３３）の端部に垂直に形成された垂直部（３４）と、傾斜部（３２）、水平部（３３）及び垂直部（３４）の両端と本体（１０）の前後面に固定される仕上げ部（３５）でできたカバーブラケット（３６）と、
前記水平部（３３）のカバー挿入孔（３３ａ）の上部に位置するように仕上げ部（３５）との間に水平方向に締結固定された水平固定バー（３７）と、
前記カバー挿入孔（３３ａ）を通過して水平固定バー（３７）にぶら下がり、垂直に位置して除草作業時に破砕物をブロックするためのブロックカバー（３８）として構成されることを特徴とする請求項１に記載のショベルマウントロータリー式除草機。
【請求項４】
前記水平固定バー（３７）は、傾斜部（３２）及び水平部（３３）にボルト（３１）で締結固定された固定ブラケット（３９）の端部に形成される引っかかり溝（３９ａ）に、水平固定バー（３７）の外周面が安定的に引っかかることを特徴とする請求項３に記載のショベルマウントロータリー式除草機。
【請求項５】
前記油圧駆動モーター（６０）とショベルのオイル供給装置（２）との間にモーター保護用バルブ（８０）を装着して、油圧駆動モーター（６０）を停止させるためにオイルの供給遮断時に油圧駆動モーター（６０）内部のオイルがスムーズに流れることができるように構成し、
前記モーター保護用バルブ（８０）は、前記本体（１０）の他の側に水平ブラケット（８１）で傾斜が出るように装着された本体（８２）と、
前記本体（８２）の両側に対応するように装着され、内側供給ライン（９０）と外側供給ライン（９１）で相互接続され、オイル供給装置（２）のオイルを油圧駆動モーター（６０）内部に供給するためのＡポート（８３）及びＡ１ポート（８４）と、
前記本体（８２）の両側に対応するように装着され、内側リターンライン（９２）と外側リターンライン（９３）で相互接続され、油圧供給モーター（６０）のオイルをオイル供給装置（２）にリターンさせるためのＢ１ポート（８５）及びＢポート（８６）と、
前記本体（８２）内部の内側供給ライン（９０）と内側リターンライン（９２）との間に垂直に連通されるように接続された連結ライン（８７）と、
前記連結ライン（８７）に装着され、本体（８２）に内側供給ライン（９０）と外側供給ライン（９１）と内側リターンライン（９２）と外側リターンライン（９３）が間違って接続された場合の逆回転を防止し、動作を停止させるチェックバルブ（８８）と前記油圧駆動モーター（６０）内部のリターンされるオイルがオイル供給装置（２）に逆流しないようにする遮断バルブ（８９）で構成されることを特徴とする請求項１に記載のショベルマウントロータリー式除草機。
【発明の詳細な説明】
【技術分野】
【０００１】
本発明は、ショベルマウントロータリー式除草機に関するもので、特にショベルのアームの先端に装着されて、車両や人の進入が難しい傾斜地、牧草地、野山及び丘陵地などの特殊地域に生えた雑草や雑木などの除去が簡単にできるように構成した除草機に関するものである。
【背景技術】
【０００２】
一般的に夏季に豊かに生えた雑草や雑木などを削除するための除草作業は、作業者が重量が１０〜２０ｋｇ程度のエンジンが装着された苅払機などを手で持ったり背負って手作業で行うため、重い機器によって作業者が疲労を感じやすいことはもちろん、重量物によって作業速度が遅くなり、多くの作業をすることができず、このため多くの労働力がいることは避けることができない問題点として浮上している。また、機械式の苅払機を使用する場合、高速回転する切断刃によって石が跳ねて、作業者の安全事故が多発し、モーターの容量が小さいため、草木や小枝の除去作業能率にも限界がある。最近はこれらの問題を解決するために、除草機を一般車両のバンパーなどに装着した後、車両の動力源を利用して様々な場所の草木をより効果的に除去している。しかし、これらの車両用除草機は、車両が進入することができる地域に限り限定的に除草作業が行われ、その適用範囲は非常に狭い。すなわち、車両の進入が不可能な葦原、牧草地、野山、栗林、湿地及び丘陵地などの特殊地域に繁殖している雑草や雑木などは、除去することができない問題が提起されていた。
【０００３】
このような特殊地域でも除草作業をすることができる除草機に対する先行技術は、韓国公開特許第１０‐２０１２‐００１９０９３号公報（発明の名称：ショベルを利用したロータリータイプの草木除去装置）及び韓国登録特許第１０‐０４４８２７８号公報（発明の名称：ショベル用除草機）が開始されている。
【０００４】
前記韓国公開特許第１０‐２０１２‐００１９０９３号公報は、多関節リンクを備えた通常のショベルに装着され、前記多関節リンク先端のバケット装着部位に装着できるようにリンク連結部を備えた草木除去手段を含むショベルを利用した草木除去装置である。前記草木除去手段は、前記リンク連結部が上部中央に連結結合して、外観を形成する本体と、前記本体の一側面に備えられている。そして、通常のショベルに備えられた油圧供給システムから高圧の作動油が伝達され、動力を発生させる駆動モーターから駆動力を受けて回転できるように、本体内に両端が支持され水平設置されたローター軸と、前記ローター軸上に一定間隔を置いて形成された多数の刃装着部に一対一対応するように締結組み立てられる刃が完備された多数の刃部を含むことを特徴とする。
【０００５】
本機器は、ショベルに装着された草木除去手段を通して、地雷埋設予想地域の作業条件に応じて様々な運用方法で作業を進行することができるため、地雷埋設の有無を事前に判断できる表面調査用機器として運用することができる。それと同時に人のアクセスが難しい草木が生い茂った地形で雑木と草を除去する機器として便利に運用することができる利点を有している。
【０００６】
前記韓国登録特許第１０‐０４４８２７８号公報は、（Ｉ）ベース板の上部に離隔されるように設置された一組の垂直版の間にショベルのアーム及びバケットシリンダと接続されるアーム連結部とシリンダー連結棒が挟んで設置された除草機クランプと、（ＩＩ）前記除草機クランプの底面に設置された回転軸をロック部材のオン／オフ操作に従い、必要に応じて回転させ、除草機の水平回転を可能にする水平回転手段と、（ＩＩＩ）前記水平回転手段と垂直回転手段に一体で付着された上・下部リンクブラケットの間で回転が自由になるように設置され、除草機の地面密着状態を自動的に維持する一組のリンク台と、（ＩＶ）前記垂直回転手段の回転軸ボスに挟まれた回転軸を地面の傾きに応じて自動的に垂直回転させて除草機の地面密着状態を自動的に維持する垂直回転手段と、（Ｖ）前記回転軸先端の圧着板と他の圧着板の間に除草機の支持台が差し込まれるように結合させる結合手段を備えている。
【０００７】
これは、既存の除草車両が進入することができない牧草地、野山、丘陵地などの特殊地域を自由自在に進入することができるショベルに除草機を選択的に装着することができ、地域にこだわらず幅広い地域の除草作業を効果的に行うことができる。また地面の屈曲及び傾きに応じて、除草機を上・下に移動させる面倒な運転操作なく、回転が自由なリンク台と回転軸の自動回転動作によって除草機が常に地面に密着した状態を維持して、円滑な除草作業が行われる効果が提供される。
【０００８】
しかし、このような先行技術は、ロータリー式除草作業機の駆動モーターが本体上部に組み立てられ、モーター軸にベルトプーリーを組み立て、ローターのローター軸にベルトプーリーを組み立てて、このベルトプーリーの間にベルトを連結して駆動力を伝達する方法で構成される。こうした駆動方式は、複雑な装置構造で製造原価の上昇と故障の原因となり、長時間運転時、ベルトの摩耗により騒音が発生し、動力伝達効率が落ちてエネルギー浪費の原因となった。
【０００９】
またシャベルの油圧供給システムから高圧の作動油が駆動モーターに直接供給されることにより、駆動モーターの停止時に油圧作動油の供給をブロックするが、この時、ローターの回転慣性によってローターは続けて回転し、回転動力が駆動モーターを一緒に回転させ、駆動モーターのオイル供給側には真空が発生し、オイル出口側には駆動モーター内部のオイルが放出されることによって、駆動モーターと油圧配管で激しい振動が発生し、駆動モーターのオイルが漏水するなど故障を起こし、部品寿命が短縮するという問題が発生した。
【先行技術文献】
【特許文献】
【００１０】
【特許文献１】韓国公開特許第１０‐２０１２‐００１９０９３公報
【特許文献２】韓国登録特許第１０‐０４４８２７８号公報
【発明の概要】
【発明が解決しようとする課題】
【００１１】
このような先行技術の問題を解決するために提案されたもので、本発明は本体内部の両端に支持され水平方向に設置されたローターに、水平方向に設置された駆動モーターのモーター軸をローター軸に直接挿入接続して、駆動モーターの駆動力を直接伝達することにより、装置が簡単で製造原価が節減され、除草作業時に作物のひっかかりがなく、故障の原因を減らすことができる。また重量が軽くて駆動力伝達効率が高く、エネルギーが節減されたショベルマウントロータリー式除草機を提供することに目的がある。
【００１２】
本発明の他の目的は、駆動モーターを停止するために、オイル供給遮断時にローターの回転慣性によってローターが続けて回転したとしても、油圧駆動モーター内部のオイルがモーター保護用バルブを通じてスムーズに流れることができるように構成し、騒音と振動をなくして装置を安全に使用することができるようにするところにある。
【課題を解決するための手段】
【００１３】
このような目的を達成するための本発明の課題解決手段は、上部にショベルのアームと連結するリンク連結部が装着された本体と、前記本体の左右両側に油圧駆動モーターで回転できるように設置され、外周面に多数の刃が装着されたローターで構成されたショベルマウントロータリー式除草機において、前記ローターは本体の両側に装着され、ローターはローターカバーによって保護され、内部に回転部材が設置されたハウジングにローター軸で回転できるように設置されている。さらに前記ローター軸の他の端に形成されたモーター挿入孔にモーター軸が水平方向に設置され、前記ハウジング内部に装着フランジとして装着され、本体の他の側面に装着されたモーター保護ケースで油圧駆動モーターが保護されることを特徴とする。
【発明の効果】
【００１４】
本発明によると、本体内部の両端に支持され水平方向に設置されたローターに、水平方向に設置された油圧駆動モーターのモーター軸がローター軸に直接挿入連結されて油圧駆動モーターの駆動力を直接伝達することにより、装置が簡単で、製造単価が節減され、除草作業時に作物の引っかかりがなく、故障の原因を減らすことができる。また重量が軽く、駆動力伝達効率が高くてエネルギーが削減され、ショベルのアームを左右にスイングしながら継続的な除草作業を進める時、作業場の地面に小さい石や障害物があって除草機が引っかかると、運転者がショベルのブームを操作しなくても、バンプリンク装置によって本体の高さが自動的に調節され、障害物を自然に超えることにより機械を保護することで、運転者は微細な操作をしなくても良く、疲労を減らすことができる。また除草作業時に破砕した作物や小さい石、小枝などが、鎖タイプでできた安全カバー部材のブロックカバーによって衝撃が吸収され、外部にはじけ出るのをブロックする。更に油圧駆動モーターを停止するために油圧作動油供給をブロックした時、ローターの回転慣性によってローターが続けて回転したとしても、駆動モーター内部のオイルがモーター保護用バルブを通じてスムーズに流れることができるように構成し、騒音と振動がなく、安全に装置を使用することができる効果が提供される。
【図面の簡単な説明】
【００１５】
【図１】本発明によるショベルマウントロータリー式除草機の平面構成図である。
【図２】本発明によるショベルマウントロータリー式除草機の正面構成図である。
【図３】本発明によるショベルマウントロータリー式除草機の側面構成図である。
【図４】図２の「Ａ」部分に対する拡大構成図である。
【図５】本発明によるショベルマウントロータリー式除草機のバンプリンク装置を図示した分解斜視図である。
【図６】図３の「Ｂ」及び「Ｃ」部分に対する拡大図である。
【図７】図３の「Ｂ」及び「Ｃ」部分に対する拡大図である。
【図８】本発明によるショベルマウントロータリー式除草機のモーター保護用バルブを図示した構成図である。
【図９】図８の油圧回路図である。
【図１０】本発明によるショベルマウントロータリー式除草機のバンプリンク装置に対する動作状態図である。
【図１１】本発明によるショベルマウントロータリー式除草機がショベルのアームに装着された状態を図示した構成図である。
【発明を実施するための形態】
【００１６】
以下、添付された図面を参照に本発明による実施例を詳細に説明すると次の通りである。
【００１７】
添付された図面中、図１は本発明によるショベルマウントロータリー式除草機の平面構成図であり、図２は本発明によるショベルマウントロータリー式除草機の正面構成図であり、図３は本発明によるショベルマウントロータリー式除草機の側面構成図であり、図４は図２の「Ａ」部分に対する拡大構成図であり、図５は本発明によるショベルマウントロータリー式除草機のバンプリンク装置を図示した分解斜視図であり、図６と図７は図３の「Ｂ」及び「Ｃ」部分に対する拡大図である。
【００１８】
図１〜図７に図示されているように、本発明によるショベルマウントロータリー式除草機は、上部にショベルアーム（１）と接続されるリンク連結部（１２）が装着されたバンプリンク装置（２０）が上部に装着され、前後面に安全カバー部材（３０）が装着された本体（１０）と、本体（１０）の左右両側に装着され、内部にベアリングなどでできた回転部材（５２）が内蔵されたハウジング（５０）内部にローター軸（４２）により回転できるように設置され、外周面に多数の刃（４３）が装着されたローター（４０）と、前記ローター（４０）の外面にローター（４０）の保護のためのローターカバー（４８）と、ローター軸（４２）の他の端に形成された軸の直径に段差がある孔（４２ａ）に設置されたモーター軸（６２）が備えられ、ハウジング（５０）内部に装着フランジ（６４）として装着され、ローター軸（４２）を回転させるための油圧駆動モーター（６０）で出来ている。
【００１９】
前記ローター（４０）に装着された多数の刃（４３）の形は３つの刃で構成したり、金槌のようなハンマー形態で構成される。
【００２０】
前記バンプリンク装置（２０）は、本体（１０）上部とリンク連結部（１２）の下部に締結固定された下部板（２１）及び上部板（２２）と、下部板（２１）と上部板（２２）の上部及び下部に間隔を維持して垂直に固定され、対応するように貫通孔（２３ａ）が形成された下部垂直片（２３）及び上部垂直片（２４）と、下部垂直片（２３）及び上部垂直片（２４）の貫通孔（２３ａ）と対応するようにピン挿入孔（２５ａ）が形成された下部回転ホルダー（２５）及び上部回転ホルダー（２６）と、下部回転ホルダー（２５）及び上部回転ホルダー（２６）との間に間隔が維持されるように固定されたスペースバー（２７）で構成された回転部材（２８）と、下部回転ホルダー（２５）及び上部回転ホルダー（２６）のピン挿入孔（２５ａ）に両端が突出するように結合して下部板（２１）と上部板（２２）の貫通孔（２３ａ）に結合して止め輪（２９ａ）により、回転が防止される多数の固定ピン（２９）で出来ている。
【００２１】
前記安全カバー部材（３０）は、本体（１０）の前後面・傾斜面にボルト（３１）で締結固定された傾斜部（３２）と、傾斜部（３２）の下部に水平方向に一体で形成され、等間隔で多数のカバー挿入孔（３３ａ）が形成された水平部（３３）と、水平部（３３）の端部に垂直に一体で形成された垂直部（３４）と、傾斜部（３２）、水平部（３３）及び垂直部（３４）の両端と本体（１０）の前後面に固定された仕上げ部（３５）で構成されたカバーブラケット（３６）と、水平部（３３）のカバー挿入孔（３３ａ）上部に位置するように仕上げ部（３５）の間に水平方向に締結固定された水平固定バー（３７）と、カバー挿入孔（３３ａ）を通過して水平固定バー（３７）にぶら下がって垂直に配置され、除草作業時に破砕された作物が外部にはじけ出るのをブロックするためのブロックカバー（３８）で出来ている。
【００２２】
前記水平固定バー（３７）は、傾斜部（３２）及び水平部（３３）にボルト（３１）で固定ブラケット（３９）がそれぞれ締結固定され、固定ブラケット（３９）の端部に形成された固定溝（３９ａ）を水平固定バー（３７）に結合して安定に固定する。
【００２３】
前記ブロックカバー（３８）は、複数本のリングが連結された鎖タイプで構成され、自体の重量によってカバー挿入孔（３３ａ）を通過し、水平固定バー（３７）に多数個がぶら下がって垂直に位置し、前面、すなわち除草作業時に作物が流入する作物入口側は長さを短く接続し、破砕後作物が排出される背面の作物出口側の長さは長く接続して、破砕物が外部にはじけ出るのをブロックする。
【００２４】
前記モーター軸（６２）は、ローター軸（４２）の 軸の直径に段差がある孔（４２ａ）に分離できるように設置され、キー（６２ａ）として安全に結合させる。
【００２５】
前記本体（１０）の他の側面には、油圧駆動モーター（６０）を保護するためのモーター保護ケース（７０）が装着され、本体（１０）の前後面の両側には、除草機の使用時に床面に届くスキッド（７２）が装着される。
【００２６】
こうした油圧駆動モーター（６０）は、ショベルのオイル供給装置（２）からオイルの供給を受け動作する。
【００２７】
一方、図８と図９に図示されたように、ショベルのオイル供給装置（２）と油圧駆動モーター（６０）の間にモーター保護用バルブ（８０）を装着し、油圧駆動モーター（６０）を停止させるために、油圧作動油供給遮断時に回転慣性によってローター（４０）が回転したとしても、油圧駆動モーター（６０）内部のオイルがスムーズに流れることができるようにする。
【００２８】
前記モーター保護用バルブ（８０）は、本体（１０）の他の側に水平ブラケット（８１）と結合し、水平方向に装着された本体（８２）と、本体（８２）の両側に対応するように装着されて内側供給ライン（９０）と外側供給ライン（９１）で相互接続され、オイル供給装置（２）のオイルを油圧駆動モーター（６０）内部に供給するためのＡポート（８３）及びＡ１ポート（８４）と、本体（８２）の両側に対応するように装着されて内側リターンライン（９２）と外側リターンライン（９３）で相互接続されて、油圧供給モーター（６０）のオイルをオイル供給装置（２）にリターンさせるためのＢ１ポート（８５）及びＢポート（８６）と、本体（８２）内部の内側供給ライン（９０）と内側リターンライン（９２）との間に垂直に連結されるように接続された連結ライン（８７）と、連結ライン（８７）に装着されて本体（８２）に内側供給ライン（９０）と外側供給ライン（９１）と内側リターンライン（９２）と外側リターンライン（９３）が間違って接続された場合、逆回転を防止し動作を停止させるチェックバルブ（８８）と、前記油圧駆動モーター（６０）内部のリターンされるオイルがオイル供給装置（２）に逆流しないようにする遮断バルブ（８９）で出来ている。
【００２９】
このように構成された本発明のショベルマウントロータリー式除草機に対する動作状態を説明することにする。
【００３０】
図１〜図７のように、シャベルアーム（１）に除草機の本体（１０）に装着されたリンク連結部（１２）を接続し、シャベルを除草作業をするための場所に移動した後、ショベルの油圧供給装置（２）を動作させて、オイルを油圧駆動モーター（６０）で供給して除草機を動作させる。
【００３１】
つまり、ショベルの油圧供給装置（２）で供給されるオイルによって、ハウジング（５０）に装着フランジ（６４）として装着され、本体（１０）の他の側面に装着されたモーター保護ケース（７０）によって保護された油圧駆動モーター（６０）が動作し、油圧駆動モーター（６０）のモーター軸（６２）が、ローター（４０）のローター軸（４２）の他の端に形成された 軸の直径に段差がある孔（４２ａ）に設置されて油圧駆動モーター（６０）の回転力がローター（４０）に直接伝達されるのに伴い、本体（１０）の左右両側に回転できるように装着され、外面がローターボックス（４８）で保護されたローター（４０）が回転して、回転する刃（４３）によって除草作業が行われる。
【００３２】
この時、除草作業時に破砕された作物が本体（１０）の前後面に装着された安全カバー部材（３０）によって遮断される。つまり、本体（１０）の前後面に締結固定されたカバーブラケット（３６）を構成する水平部（３３）のカバー挿入孔（３３ａ）を通過して、水平固定バー（３７）にぶら下がって垂直に位置する鎖タイプでできたブロックカバー（３８）によって外部にはじけ出ることをブロックする。
【００３３】
前記ローター（４０）に装着された多数の刃（４３）の形は３つの刃で構成したり、刃（４３）の形を金槌形状の三角形の形状にしてハンマー形で構成することが望ましい。
【００３４】
このようにショベルのアーム（１）を左右にスイングをしながら継続的な除草作業を行う時、作業場の地面に小さい石や障害物があり除草機が引っかかると、運転者がショベルのブームを操作しなくてもバンプリンク装置（２０）によって本体（１０）の高さが自動的に調節され、障害物を自然に超えることにより機械を保護し、運転者は微細な操作をしなくて良いので、疲労が少なくて済む。
【００３５】
すなわち、図５のように、バンプリンク装置（２０）に対する動作状態を概略的に説明すると、下部板（２１）及び上部板（２２）の上下部の下部垂直片（２３）及び上部垂直片（２４）の貫通孔（２３ａ）に挿入され、スナップリング（２９ａ）で回転が防止される固定ピン（２９）を中心にスペースバー（２７）で間隔が維持されるように固定された下部回転ホルダー（２５）及び上部回転ホルダー（２６）が、除草機の本体（１０）が回転するのに伴い、地面の小さい石や障害物を自然に超えながら、高さが自動的に調節される。（図１０を参照）
【００３６】
一方、図８及び図９のように、ショベルのオイル供給装置（２）と油圧駆動モーター（６０）との間にモーター保護用バルブ（８０）が装着され、油圧駆動モーター（６０）を停止させるために油圧遮断時に回転慣性によってローター（４０）が回転したとしても、油圧駆動モーター（６０）内部のオイルがスムーズに流れることができるように構成にする。
【００３７】
つまり、オイル供給装置（２）で供給されるオイルがモーター保護用バルブ（８０）を構成する外側供給ライン（９１）を通して、本体（８２）に締結されたＡポート（８３）及びＡ１ポート（８４）との間の内側供給ライン（９０）とＡ１ポート（８４）及び外側供給ライン（９１）を通じて、油圧駆動モーター（６０）に供給され、油圧駆動モーター（６０）内部に供給されたオイルがモーター保護用バルブ（８０）を構成する外側リターンライン（９３）を通して、本体（８２）に締結されたＢ１ポート（８５）及びＢポート（８６）との間の内側リターンライン（９２）とＢポート（８６）及び外側リターンライン（９３）を通じて、オイル供給装置（２）でリターンし循環するのに伴い、油圧駆動モーター（６０）が動作する。
【００３８】
こうした状態で、オイル供給装置（２）の動作が中断すると、油圧駆動モーター（６０）で供給され、オイル供給装置（２）にリターンされるオイルの流れがブロックされるが、油圧駆動モーター（６０）内部のオイルは、本体（８２）内部の内側供給ライン（９０）と内側リターンライン（９２）との間に連通されるように接続される連結ライン（９７）に装着されたチェックバルブ（８８）を通じて、油圧駆動モーター（６０）内部に流入し、同時に遮断バルブ（８９）によって前記油圧駆動モーター（６０）内部のリターンされるオイルがオイル供給装置（２）に逆流しないようにブロックするため、油圧駆動モーター（６０）が中断されずに、回転慣性によって回転するローター（４０）と同時に回転するのに伴い、油圧駆動モーター（６０）を保護する。
【００３９】
以上で説明された本発明の望ましい実施例は、例示の目的のために開示されたもので、本発明に対する通常の知識を持つ作業者であれば、本発明の思想と範囲内で様々な修正、変更、付加が可能であり、このような修正、変更及び付加は、下記の特許請求の範囲に属するものと見なければならない。
【符号の説明】
【００４０】
１  ショベルアーム                  ２  オイル供給装置
１０  本体                          １２  リンク連結
２０  バンプリンク装置              ２１  下部板
２２  上部板                        ２３  下部垂直片
２３ａ  貫通孔                      ２４  上部垂直片
２５  下部回転ホルダー              ２５ａ  ピン挿入孔
２６  上部回転ホルダー              ２７  スペースバー
２８  回転部材                      ２９  固定ピン
２９ａ  止め輪                      ３０  安全カバー部材
３１  ボルト                        ３２  傾斜部
３３  水平部                        ３３ａ  カバー挿入孔
３４  垂直部                        ３５  遮断部
３６  カバーブラケット              ３７  水平固定バー
３８  ブロックカバー                ３９  固定ブラケット
３９ａ  引っかかり溝                ４０  ローター
４２  ローター軸                    ４２ａ  軸の直径に段差がある孔
４３  刃                            ４８  ローターカバー
５０  ハウジング                    ５２  回転部材
６０  油圧駆動モーター              ６２  モーター軸
７０  モーター保護ケース            ８０  モーター保護用バルブ
８１  水平ブラケット                ８２  本体
８３  Ａポート                      ８４  Ａ１ポート
８５  Ｂ１ポート                    ８６  Ｂポート
８７  連結ライン                    ８８  チェックバルブ
８９  遮断バルブ                    ９０  内側供給ライン
９１  外側供給ライン                ９２  内側リターンライン
９３  外側リターンライン
【図１】
2020078249.tif 000003
【図２】
2020078249.tif 000004
【図３】
2020078249.tif 000005
【図４】
2020078249.tif 000006
【図５】
2020078249.tif 000007
【図６】
2020078249.tif 000008
【図７】
2020078249.tif 000009
【図８】
2020078249.tif 000010
【図９】
2020078249.tif 000011
【図１０】
2020078249.tif 000012
【図１１】
2020078249.tif 000013